(57)【特許請求の範囲】
【請求項１】
薬液タンク（２）、モーター（４）、ポンプ（５）、バッテリー（３）、及び枠材（１）からなる噴霧本体と、噴霧竿（１５）と、該噴霧竿（１５）と前記ポンプ（５）を接続する噴霧ホース（１４）とを備えた電動噴霧機において、噴霧竿（１５）には、前記モーター（４）の制御信号を無線で送信するための送信機（２１）、送信スイッチ（５９）、該送信スイッチ（５９）と独立して薬液吐出量の制御が可能な調節部材（３６）、及び薬液の液だれ防止のための逆流防止部材（３７）を設け、噴霧本体には、前記制御信号を無線で受信するための受信機（６）、該受信制御信号によりモーター（４）を制御するモーター駆動制御回路（１１）を設け、前記送信スイッチ（５９）または送信機（２１）には、可変制御信号を送信可能な送信制御回路（５８）を設け、該送信制御回路（５８）を介して送信スイッチ（５９）の操作により、モーター（４）の回転数を制御し、該送信スイッチ（５９）の操作により、モーター（４）の回転数を制御すると同時に、該モーター駆動制御回路（１１）は、圧力設定バルブ（１３）の設定圧を調節するアクチュエーター（３１）と接続し、前記送信スイッチ（５９）の操作により、同時に吐出圧を変更すべく構成したことを特徴とする電動噴霧機。
【請求項２】
前記調節部材（３６）には、ボールバルブ式の流量調節コックを使用したことを特徴とする請求項１記載の電動噴霧機。
【発明の詳細な説明】
【０００１】
【発明の属する技術分野】
本発明は、電動噴霧機の本体に受信機、噴霧竿に送信機を配置して操作や作業を容易にする技術に関する。
【０００２】
【従来の技術】
従来から背負い式の電動噴霧機を用いて噴霧作業は行われており、該電動噴霧機は背負い枠上にモーター、ポンプ、バッテリー、及び薬液タンクを配置し、前記モーターの出力軸に薬液圧送用のポンプの駆動軸を連結し、該ポンプの吸入口は薬液タンクに連通し、ポンプの吐出口には噴霧ホース等を介して噴霧竿のノズルに連通していた。
【０００３】
そして、噴霧作業の開始・終了は、前記モーターを常時駆動させた状態で、前記噴霧竿のグリップに設けたバルブの開閉操作により行っていた。または、バルブの開閉操作と連動するＯＮ・ＯＦＦスイッチを設け、該ＯＮ・ＯＦＦスイッチとモーターの駆動回路を電線を介して接続し、バルブの開閉操作により、ＯＮ・ＯＦＦスイッチを介してモーターを駆動したり、停止したりして、噴霧作業を行うようにしていた。
【０００４】
【発明が解決しようとする課題】
しかし、前記のいずれの技術においても、次のような問題があった。すなわち、薬液の補充、別種類の薬液への変更、噴霧場所の移動等のために一旦作業を中止した後に再びバルブを調節して噴霧作業を再開する場合、前者の技術では、所定の吐出量に達するまでのバルブ操作に時間がかかり、後者の技術では、バルブ操作に加え、モーターが駆動開始してから所定の吐出圧に落ち着くまでにも時間がかかるため、図１１の吐出曲線Ｂに示すように、吐出量の不足や過多が起こって防除むらが発生しやすい、という問題があった。
【０００５】
また、立ち入り困難な場所や高い位置に噴霧しなければならない場合であっても、バルブの開度による吐出圧の増減でしか吐出距離を調節できなかったため、均一な噴霧が難しい、という問題もあった。
【０００６】
特に、後者の技術においては、グリップに設けたスイッチと本体に設けたモーター駆動回路とを電線を介して接続しているため、作業時や収納時や搬送時等で電線が引っ掛かったり、噴霧作業で噴口を振り回したときに作業の邪魔となり、また、ホースとグリップまたはホースと本体とを連結する部分においては接触不良が生じ易く、さらには、ホースのみが劣化した場合や電線が途中で断線した場合や噴霧距離が長くなった場合等では、ホースと電線を同時に交換しなければならず、コストアップとなる、という問題があった。
【０００７】
【課題を解決するための手段】
本発明の解決しようとする課題は以上の如くであり、次にこの課題を解決するための手段を説明する。
【０００８】
請求項１においては、薬液タンク（２）、モーター（４）、ポンプ（５）、バッテリー（３）、及び枠材（１）からなる噴霧本体と、噴霧竿（１５）と、該噴霧竿（１５）と前記ポンプ（５）を接続する噴霧ホース（１４）とを備えた電動噴霧機において、噴霧竿（１５）には、前記モーター（４）の制御信号を無線で送信するための送信機（２１）、送信スイッチ（５９）、該送信スイッチ（５９）と独立して薬液吐出量の制御が可能な調節部材（３６）、及び薬液の液だれ防止のための逆流防止部材（３７）を設け、噴霧本体には、前記制御信号を無線で受信するための受信機（６）、該受信制御信号によりモーター（４）を制御するモーター駆動制御回路（１１）を設け、前記送信スイッチ（５９）または送信機（２１）には、可変制御信号を送信可能な送信制御回路（５８）を設け、該送信制御回路（５８）を介して送信スイッチ（５９）の操作により、モーター（４）の回転数を制御し、該送信スイッチ（５９）の操作により、モーター（４）の回転数を制御すると同時に、該モーター駆動制御回路（１１）は、圧力設定バルブ（１３）の設定圧を調節するアクチュエーター（３１）と接続し、前記送信スイッチ（５９）の操作により、同時に吐出圧を変更すべく構成したものである。
【０００９】
請求項２においては、請求項１記載の調節部材には、ボールバルブ式の流量調節コックを使用したものである。
【００１０】
【発明の実施の形態】
以下、本発明の実施の形態を添付の図面を用いて説明する。図１は本発明の電動噴霧機の全体正面図、図２はグリップの側面一部断面図、図３は流量調節コックの側面断面図、図４は同じく平面図、図５は逆止弁の側面断面図、図６は別形態の逆止弁の側面断面図、図７は別形態の逆止弁の弁体の正面図、図８は延長ホースを連結して作業を行う状態を示す図、図９は他の構成例の制御ブロック図、図１０は本発明の実施例の制御ブロック図、図１１薬液吐出量の経時変化に関する説明図である。
【００１１】
まず、本構成に係わる電動噴霧機の全体構成について、図１により説明する。合成樹脂等によって構成された枠体を構成する背負い枠１の上部に薬液タンク２が一体的に形成され、背負い枠１の下部にバッテリー３とモーター４と薬液圧送用のポンプ５と受信機６が配置されている。該ポンプ５の吐出口に噴霧ホース１４を介して、噴霧竿１５と連通される。９は受信機に接続されるアンテナ、１０は背負い枠１側面に配置するメインスイッチ、８は電圧表示器、１７はジャック接続部であり、該ジャック接続部１７に、図８に示すように、アダプター（ＡＣ／ＤＣ変換器）１９を介して１００Ｖ電源と接続して、バッテリー３を充電したり、バッテリー３が放電した時や長時間の作業等ではアダプター１９を接続したままモーター４を駆動できるようにしている。
【００１２】
次に、電動噴霧機、及び全体的な制御構成について、図１、図８、図９、図１１により説明する。図１、図９に示すように、前記ポンプ５の駆動軸はモーター４の出力軸に連結され、該モーター４はモーター駆動制御回路１１と接続され、バッテリー３からの電力がモーター駆動制御回路１１に供給されてモーター４を駆動できるようにしている。該バッテリー３とモーター駆動制御回路１１との間にはメインスイッチ１０が介装され、モーター駆動制御回路１１には受信機６が接続され、該モーター駆動制御回路１１によりモーター４の駆動・停止を制御できるようにしている。
【００１３】
そして、前記ポンプ５の吸込口はホース等を介して薬液タンク２と連通され、吐出口にはホース７を介して取出口１２と圧力設定バルブ１３と接続され、取出口１２は背負い枠１の側面に配設されて噴霧ホース１４と接続できるようにしている。前記圧力設定バルブ１３の二次側は余水ホースと接続され、余水ホースの他端は薬液タンク２に連通されている。よって、ポンプ５の吐出圧が設定圧を越えると、設定バルブ１３を介して余水ホースより薬液タンク２に戻されるようにしている。
【００１４】
さらに、前記噴霧ホース１４の他端には噴霧竿１５のグリップ１６に接続され、該グリップ１６には、前記モーター４のＯＮ・ＯＦＦのための制御信号を送信する送信機２１と送信スイッチ２４、薬液の吐出量制御を行う流量調節コック３６が形成されると共に、該グリップ１６の先端には噴杆２２が連通されている。そして、該噴杆２２の先端にはノズル２３が配置され、該ノズル２３と前記流量調節コック３６との間には、薬液の液だれ防止ための逆止弁３７が配設されている。なお、噴霧ホース１４は、グリップ１６や取出口１２とは、ねじ込みや連結材等により着脱自在に接続されている。
【００１５】
このようにして、送信スイッチ２４からモーター駆動制御回路１１には無線で送信可能な構成となっているため、収納、搬送等がしやすく、噴霧作業においても噴口を自由な方向に向けることができ、作業性が大きく向上し、さらに、噴霧ホース１４のみの交換で済むため、保守管理にかかるコストを低減することができる。
【００１６】
特に、無線による送信は、大量の噴霧作業をしたり、高い位置まで噴霧機を持ち上げなければならない場合に有効であり、このような作業においても、作業性を低下させることなく噴霧作業を行うことができるようにしている。すなわち、図８に示すように、噴霧機本体を任意位置に設置して、前記噴霧ホース１４を延長ホース２６と交換・接続するだけで、噴霧竿１５はそのまま使用して噴霧作業を行うことができるため、作業中に電線が邪魔することがなく非常に作業がしやすい上に、電線付きの延長ホースを改めて準備する必要がなく、通常のホースをそのまま流用することができる。
【００１７】
次に、本構成に係わる各制御部材について、図２乃至図７により説明する。図２に示すように、前記送信機２１は送信回路３８内に配設され、該送信回路３８にはボタン電池等のバッテリー２５も組み込まれており、該バッテリー２５により送信機２１を作動させるようにしている。そして、送信機２１は、前記送信スイッチ２４に接続され、送信スイッチ２４をＯＮ・ＯＦＦすることにより、送信機２１から制御信号が前記受信機６に送信されるようにしている。なお、本構成例においては、電波を用いて送信機２１と受信機６との間で信号を送信する構成としているが、音波や赤外線等を用いることも可能である。
【００１８】
また、前記送信スイッチ２４に近設して前記流量調節コック３６を配設している。図３、図４に示すように、この流量調節コック３６はグリップ本体１６ａと噴杆２２との間に配設されると共に、該流量調節コック３６の外側は弁箱アウター本体４０と弁箱インナー本体４１とからなる弁箱により構成され、該弁箱の上部には軸筒部４５が圧入され、該軸筒部４５により弁棒４３が回動可能に軸支されている。
【００１９】
そして、該弁棒４３の下端には、貫通孔４２ａを有するボール状の弁体４２が固定され、該弁体４２は前記弁箱インナー本体４１に回動可能に内包されている。一方、この弁棒４３の上下途中部には、ストッパー４６が外嵌固定され、該ストッパー４６から円周方向に延出部４６ａが張り出すと共に、前記弁箱アウター本体４０の上面からは突起部４０ａ・４０ｂが互いに９０度開いた位置に突設され、該突起部４０ａ・４０ｂの側面に前記延出部４６ａが係止するようにしており、さらに、前記弁棒４３の上端の角部４３ａには、レバー３９の一端が外嵌され、その上をナット４４等で締結固定するようにしている。
【００２０】
このような構成においては、弁棒４３の回動範囲はストッパー４６の回動範囲である９０度内に規制されるため、該弁棒４３の上下端にそれぞれ固定されたレバー３９と弁体４２も全開位置３９ａと全閉位置３９ｂとの間を９０度回動し、全開位置３９ａでは、弁体４２の貫通孔４２ａが液路４７と平行で液流の断面積が最大となり、全閉位置３９ｂでは、弁体４２の貫通孔４２ａが液路４７と直交して液路４７が完全に遮断される。すなわち、レバー３９を操作することにより、前記貫通孔４２ａの開度を調節して薬液の流量を自在に変更し、ノズル２３からの吐出量を調節できるようにしている。なお、本構成例では、流量調節コック３６として、ボール状の弁体４２を用いるボールバルブ式のものを用いたが、簡単な構造で誤動作も少なく、確実に流量を変更できるものであればよく、特に限定されるものではない。
【００２１】
そして、このような流量調節コック３６とノズル２３との間には、逆止弁３７が配設されている。図５に示すように、逆止弁３７の外側は弁箱５２により形成され、該弁箱５２内には、筒状で側面に貫通孔５１ａを有する弁体５１が内包され、該弁体５１は、弁箱５２内に付勢バネ５３を介して弾装されており、該付勢バネ５３によって、弁体５１の薬液流入側の端面５１ａは、弁箱５２内面に形成された台座５２ａに押圧されている。
【００２２】
このような構成においては、薬液がポンプ５で圧送されている間は、圧送圧力により前記端面５１ａが付勢バネ５３に抗して台座５２ａから離間されているため、逆止弁３７内は連通状態にあり、薬液が貫通孔５１ａを通ってノズル２３側に流れ出るが、前記送信スイッチ２４をＯＦＦにして薬液の圧送を中断すると、付勢バネ５３によって端面５１ａが台座５２ａに押圧されて逆止弁３７内は閉塞状態となるため、薬液流入側の液路内に残留した薬液がノズル２３側に流れ出ることなく、ノズル２３から薬液が外に漏れる、いわゆる「液だれ」を完全に防止することができるようにしている。
【００２３】
ここで、別形態の逆止弁５４について説明する。図６、図７に示すように、該逆止弁５４は、外側を形成する弁箱５５と、該弁箱５５内に弁押さ５７を介して押止された弁体５６とから構成され、該弁体５６は正面視円板状で、枠体５６ａと、円板に半径方向に切れ目を入れた形状の弾性体からなる弁部５６ｂとから構成されている。
【００２４】
従って、薬液がポンプ５で圧送されている間は、圧送圧力により弾性体からなる前記弁部５４ｂは、図６中の点線で示すように、弾性変形されて薬液が切れ目の間を通ってノズル２３側に流れ出るが、前記送信スイッチ２４をＯＦＦにして薬液の圧送を中断すると、弁部５４ｂ自体の有する復元力により切れ目が閉じて逆止弁５４内は閉塞状態となるため、前記逆止弁３７と同様に、「液だれ」を防止することができる。なお、逆止弁３７に比べて構造が単純であり、動作不良が起こりにくく、また、たとえ動作不良が起こっても、弁体の交換を簡単に行うことができるという特徴を有する。
【００２５】
以上のような構成において、実作業時の制御操作に関して、図９乃至図１１により説明する。すなわち、噴霧作業は、メインスイッチ１０、送信スイッチ２１をＯＮにした後、前記流量調節コック３６を用いて吐出量を設定量に調節してから開始し、作業を中断する際には、流量調節コック３６はそのままで、送信スイッチのみＯＦＦにする。
【００２６】
そして、薬液の補充、別種類の薬液への変更、噴霧場所の移動等を行った後に噴霧作業を再開する際は、流量調節コック３６はそのままで送信スイッチ２１のみをＯＮにすることにより、薬液の圧送のみが再開されるようにする。すると、図１１の吐出曲線Ａに示すように、吐出量は噴霧作業再開前の前記設定量に直ちに復帰し、薬液の吐出量の不足や過多をなくすことができ、均一な防除作業を行うことができるのである。
【００２７】
また、ここで、ＯＮ・ＯＦＦの制御信号のみの送信が可能な前記送信スイッチ２１の代わりに、可変抵抗やポテンショメータ等の送信制御回路５８から構成され、可変制御信号の送信が可能な送信スイッチ５９を設け、該送信スイッチ５９を操作することで前記モーター駆動制御回路１１に信号を入力して、所定の回転数でモーター４を駆動するように構成することもできる。この時、モーター駆動制御回路１１は、圧力設定バルブ１３の設定圧を調節するアクチュエーター３１とも接続されている。
【００２８】
このような構成により、噴霧作業中であっても、前記送信スイッチ５９を操作することで簡単に吐出圧を変更して吐出距離や吐出量を調節できるため、立ち入り困難な場所や高い位置にも均一に噴霧でき、噴霧場所の状況に応じた細かな噴霧条件の調整を図ることができるのである。
【００２９】
【発明の効果】
本発明は以上の如く構成したので、以下の効果を奏するものである。
請求項１のように、薬液タンク、モーター、ポンプ、バッテリー、及び枠材からなる噴霧本体と、噴霧竿と、該噴霧竿と前記ポンプ間を接続する噴霧ホースとを備えた電動噴霧機において、噴霧竿には、前記モーターの制御信号を無線で送信するための送信機、送信スイッチ、該送信スイッチと独立して薬液吐出量の制御が可能な調節部材、及び薬液の液だれ防止のための逆流防止部材を設け、噴霧本体には、前記制御信号を無線で受信するための受信機、該受信制御信号によりモーターを制御するモーター駆動制御回路を設けたので、薬液の補充等により一旦作業を中止した後に噴霧作業を再開する場合においても、前記調節部材の開度はそのままで送信スイッチのみをＯＮにすることにより、吐出量は噴霧作業再開前の所定量に迅速に復帰し、均一な防除作業を行うことができる。
また、電線が不要なため、収納、搬送等がしやすく、噴霧作業においても噴口を自由な方向に向けることができて作業性が大幅に改善され、さらに、電線関係の保守管理にかかるコストも低減することができる。特に、大量の噴霧作業をしたり、高い位置まで噴霧機を持ち上げなければならない場合においても、作業性を低下させることなく作業を行うことができる。
【００３０】
また、前記送信スイッチ（５９）または送信機（２１）には、可変制御信号を送信可能な送信制御回路（５８）を設け、該送信制御回路（５８）を介して送信スイッチ（５９）の操作により、モーター（４）の回転数を制御し、該送信スイッチ（５９）の操作により、モーター（４）の回転数を制御すると同時に、該モーター駆動制御回路（１１）は、圧力設定バルブ（１３）の設定圧を調節するアクチュエーター（３１）と接続し、前記送信スイッチ（５９）の操作により、同時に吐出圧を変更すべく構成したので、噴霧作業中であっても、前記送信スイッチ５９を操作することで簡単に吐出圧を変更して吐出距離や吐出量を調節できるため、立ち入り困難な場所や高い位置にも均一に噴霧でき、噴霧場所の状況に応じた細かな噴霧条件の調整を図ることができるのである。
【００３１】
請求項２のように、請求項１記載の調節部材には、ボールバルブ式の流量調節コックを使用したので、構造が簡単で誤動作が少なく、レバー操作のみで確実に流量を変更することができる。
【図面の簡単な説明】
【図１】  本発明の電動噴霧機の全体正面図である。
【図２】  グリップの側面一部断面図である。
【図３】  流量調節コックの側面断面図である。
【図４】  同じく平面図である。
【図５】  逆止弁の側面断面図である。
【図６】  別形態の逆止弁の側面断面図である。
【図７】  別形態の逆止弁の弁体の正面図である。
【図８】  延長ホースを連結して作業を行う状態を示す図である。
【図９】  他の構成例の制御ブロック図である。
【図１０】  本発明の実施例の制御ブロック図である。
【図１１】  薬液吐出量の経時変化に関する説明図である。
【符号の説明】
１  枠材
２  薬液タンク
３  バッテリー
４  モーター
５  ポンプ
６  受信機
１１  モーター駆動制御回路
１４  噴霧ホース
１５  噴霧竿
２１  送信機
２４・５９  送信スイッチ
３６  調節部材
３７  逆流防止部材
５８  送信制御回路
【図１】
0004486194.tif 000002
【図２】
0004486194.tif 000003
【図３】
0004486194.tif 000004
【図４】
0004486194.tif 000005
【図５】
0004486194.tif 000006
【図６】
0004486194.tif 000007
【図７】
0004486194.tif 000008
【図８】
0004486194.tif 000009
【図９】
0004486194.tif 000010
【図１０】
0004486194.tif 000011
【図１１】
0004486194.tif 000012